(57)【要約】【課題】文書作成目的を的確に類推して適切な文字変換モードに切り替えることができるかな漢字変換装置を提供する。【解決手段】入力された文字を漢字に変換するかな漢字変換部１と、前記かな漢字変換装置の各種機能についての情報を管理する端末管理機能を備える端末管理部１１と、前記端末管理部の端末管理機能から得られた情報を解析し、用途情報を得るデータベース登録部７と、前記データベース登録部が得た用途情報を登録するシチュエーションデータベース５と、前記データベース登録部に登録された用途情報に基づいて文字入力のシチュエーションを判断するシチュエーション判断部３と、前記シチュエーション判断部が判断した文字入力のシチュエーションに応じて前記かな漢字変換部の文字変換モードを切り替えるモード変換部１３とを備える。【選択図】図１
2010079707.tif 000002
【特許請求の範囲】
【請求項１】
かな漢字変換装置であって、
入力された文字を漢字に変換するかな漢字変換部と、
前記かな漢字変換装置の各種機能についての情報を管理する端末管理機能を備える端末管理部と、
前記端末管理部の端末管理機能から得られた情報を解析し、用途情報を得るデータベース登録部と、
前記データベース登録部が得た用途情報を登録するシチュエーションデータベースと、
前記データベース登録部に登録された用途情報に基づいて文字入力のシチュエーションを判断するシチュエーション判断部と、
前記シチュエーション判断部が判断した文字入力のシチュエーションに応じて前記かな漢字変換部の文字変換モードを切り替えるモード変換部とを備えることを特徴とするかな漢字変換装置。
【請求項２】
前記データベース登録部は、時間情報を付加して前記用途情報を前記シチュエーションデータベースに登録し、
前記シチュエーション判断部は、前記シチュエーションデータベースに登録された用途情報に、各々の用途情報に付加された時間情報に応じた重み付けをして、文字入力のシチュエーションを判断することを特徴とする請求項１記載のかな漢字変換装置。
【請求項３】
前記シチュエーション判断部は、前記シチュエーションデータベースに登録された用途情報に、各々の用途を得た端末管理機能に応じた重み付けをして、文字入力のシチュエーションを判断することを特徴とする請求項１又は２に記載のかな漢字変換装置。
【請求項４】
前記データベース登録部は、あらかじめ決められた時間間隔で、定期的に前記端末管理部の端末管理機能から情報を入手し、用途情報を解析することを特徴とする請求項１乃至３のいずれか１項に記載のかな漢字変換装置。
【請求項５】
前記端末管理部が備える端末管理機能は、前記かな漢字変換装置が備えるカメラ機能から得られる情報を管理するものを含むことを特徴とする請求項１乃至４のいずれか１項に記載のかな漢字変換装置。
【請求項６】
前記端末管理部が備える端末管理機能は、前記かな漢字変換装置が備えるＧＰＳ機能から得られる情報を管理するものを含むことを特徴とする請求項１乃至５のいずれか１項に記載のかな漢字変換装置。
【請求項７】
前記端末管理部が備える端末管理機能は、前記かな漢字変換装置が備える携帯電話機能の着信履歴を管理するものを含むことを特徴とする請求項１乃至６のいずれか１項に記載のかな漢字変換装置。
【請求項８】
前記端末管理部が備える端末管理機能は、前記かな漢字変換装置が備える携帯電話機能の発信履歴を管理するものを含むことを特徴とする請求項１乃至７のいずれか１項に記載のかな漢字変換装置。
【請求項９】
前記端末管理部が備える端末管理機能は、前記かな漢字変換装置が備える電子メール機能の送信履歴を管理するものを含むことを特徴とする請求項１乃至８のいずれか１項に記載のかな漢字変換装置。
【請求項１０】
前記端末管理部が備える端末管理機能は、前記かな漢字変換装置が備える電子メール機能の受信履歴を管理するものを含むことを特徴とする請求項１乃至９のいずれか１項に記載のかな漢字変換装置。
【請求項１１】
かな漢字変換装置が備える入力された文字を漢字に変換するかな漢字変換部の文字変換モードを切り替える方法であって、
前記かな漢字変換装置の各種機能についての情報を管理する端末管理機能から情報を得るステップと、
前記端末管理部の端末管理機能から得られた情報を解析し、用途情報を得るステップと、
前記用途情報をシチュエーションデータベースに登録するステップと、
前記データベース登録部に登録された用途情報に基づいて文字入力のシチュエーションを判断するステップと、
前記判断した文字入力のシチュエーションに応じて前記かな漢字変換部の文字変換モードを切り替えるステップとを含むことを特徴とする方法。
【請求項１２】
請求項１１に記載の方法をコンピュータに実行させるためのプログラム。
【請求項１３】
請求項１２に記載のプログラムを記録したコンピュータ読み取り可能な記録媒体。
【発明の詳細な説明】
【技術分野】
【０００１】
本発明は、かな漢字変換装置に関する。
【背景技術】
【０００２】
従来のかな漢字変換エンジンは、文字入力後のかな漢字変換においては、一般的に想定される複数の変換候補の中からユーザが適切な変換候補を選択するものであり、必ずしも適切な変換候補が候補リストの上位に表示されるものではなかった。また、かな漢字変換エンジンの学習機能においては、過去に変換した語句を記憶し、この情報を現在の変換結果として利用するため、必ずしも現在の文書作成目的に適した変換候補が出力されるとは限らない。また、かな漢字変換の予測変換機能においても、前後の文脈から想定して変換候補出力するものであるため、単語のみの文字入力においては、適切な変換候補を出力することは困難であった。
【０００３】
これらを解決するための技術が特許文献１に開示されている。これは、場所に応じてかな漢字変換エンジンのモードを切り替えることで、変換候補を最適化する技術である。この技術を利用すれば、会社にいる場合には丁寧体、自宅にいる場合には口語体など、場所ごとに適した候補表示を行うことが可能である。しかしながら、特許文献１の技術では、自宅で仕事をする場合などには、適した候補表示を行うことができず、文章の作成目的に適した候補表示を行うことは困難である。
【０００４】
また、特許文献２には、時間に応じて所定のかな漢字変換エンジンのモードに切り替えることで、変換候補を最適化する技術が開示されている。この技術を利用すれば、会社にいる時間帯には丁寧体、自宅にいる時間帯には口語体など、時間ごとに適した候補表示を行うことが可能である。しかしながら、特許文献２の技術では、急な残業や予定よりも早く自宅に帰った場合など、予定の変更時にも適切な候補表示を行うのは困難である。
【０００５】
また、特許文献３には、メール作成時のメールあて先を参照し、前記当するあて先を含む他のメールで利用される文字列を文字入力時の変換候補として表示する技術が開示されている。この技術を利用すれば、特定のメール送信相手に対して適切な候補表示を行うことが可能となる。しかしながら、特許文献３の技術では、初めてメールを送信する相手に対しては、適切な候補表示を行うことが困難である。さらに、この技術が利用できる範囲は、メール作成時のみにとどまる。
【０００６】
【特許文献１】特開２００６−３５０９０４号公報
【特許文献２】特開２００７−６５８８９号公報
【特許文献３】特開２００６−２０９５５８号公報
【発明の開示】
【発明が解決しようとする課題】
【０００７】
本発明は、このような実情に鑑みてなされたものであり、文書作成目的を的確に類推して適切な文字変換モードに切り替えることができるかな漢字変換装置を提供する。
【課題を解決するための手段】
【０００８】
本発明のかな漢字変換装置は、入力された文字を漢字に変換するかな漢字変換部と、前記かな漢字変換装置の各種機能についての情報を管理する端末管理機能を備える端末管理部と、前記端末管理部の端末管理機能から得られた情報を解析し、用途情報を得るデータベース登録部と、前記データベース登録部が得た用途情報を登録するシチュエーションデータベースと、前記データベース登録部に登録された用途情報に基づいて文字入力のシチュエーションを判断するシチュエーション判断部と、前記シチュエーション判断部が判断した文字入力のシチュエーションに応じて前記かな漢字変換部の文字変換モードを切り替えるモード変換部とを備えることを特徴とする。
【０００９】
前記データベース登録部は、時間情報を付加して前記用途情報を前記シチュエーションデータベースに登録し、前記シチュエーション判断部は、前記シチュエーションデータベースに登録された用途情報に、各々の用途情報に付加された時間情報に応じた重み付けをして、文字入力のシチュエーションを判断するようにしてもよい。また、曜日や月に応じた重み付けをして、文字入力のシチュエーションを判断するようにしてもよい。
【００１０】
前記シチュエーション判断部は、前記シチュエーションデータベースに登録された用途情報に、各々の用途を得た端末管理機能に応じた重み付けをして、文字入力のシチュエーションを判断するようにしてもよい。
【００１１】
前記データベース登録部は、あらかじめ決められた時間間隔で、定期的に前記端末管理部の端末管理機能から情報を入手し、用途情報を解析するようにしてもよい。
【００１２】
前記端末管理部が備える端末管理機能は、前記かな漢字変換装置が備えるカメラ機能から得られる情報を管理するものを含んでもよい。
【００１３】
前記端末管理部が備える端末管理機能は、前記かな漢字変換装置が備えるＧＰＳ機能から得られる情報を管理するものを含んでもよい。
【００１４】
前記端末管理部が備える端末管理機能は、前記かな漢字変換装置が備える携帯電話機能の着信履歴を管理するものを含んでもよい。
【００１５】
前記端末管理部が備える端末管理機能は、前記かな漢字変換装置が備える携帯電話機能の発信履歴を管理するものを含んでもよい。
【００１６】
前記端末管理部が備える端末管理機能は、前記かな漢字変換装置が備える電子メール機能の送信履歴を管理するものを含んでもよい。
【００１７】
前記端末管理部が備える端末管理機能は、前記かな漢字変換装置が備える電子メール機能の受信履歴を管理するものを含んでもよい。
【発明の効果】
【００１８】
本発明のかな漢字変換装置は、文書作成目的を的確に類推して適切な文字変換モードに切り替えることができる。
【発明を実施するための最良の形態】
【００１９】
以下、本発明を適用する移動体端末として携帯電話を例にとり、本発明の実施の形態を説明するが、本発明は、携帯電話以外にもＰＨＳ、スマートフォン、ノート型パソコン、ハンディターミナルなど、文字入力機能を備えるモバイル機器全般に適用することができる。
【００２０】
図１は、本発明のかな漢字変換装置（移動体端末）の構成の一例を示す機能ブロック図である。本移動体端末は、モード切替部１３を備えるかな漢字変換エンジン１と、シチュエーション判断部３と、シチュエーションデータベース５と、使用用途解析部１５を備えるデータベース登録部７と、時計９と、端末管理部１１とを備える。端末管理部は、本移動体端末が備える各種機能に関する情報を各々管理する端末管理機能を備える。これらの端末管理機能は、着信履歴、発信履歴、メール送信履歴、メール受信履歴、カメラ、ＧＰＳ等についての情報を管理する。
【００２１】
以降の例では、使用用途はビジネス用途とプライベート用途の２種類とするが、実際の利用に際しては、提供サービスに応じて仕様用途は適宜追加、変更されるものとする。また、使用用途解析部１５は、端末管理部１１の端末管理機能ごとに個別の解析機能を持つものとする。このため、使用用途解析部１５は、必要に応じて通信機能やデータベース機能などの付加機能を備えるものとする。
【００２２】
図２は、本発明のかな漢字変換装置（移動体端末）のシチュエーションデータベース作成における処理を説明するフローチャートである。この例では、端末管理機能としてカメラが利用された場合を想定する。写真撮影などでカメラが利用された際、撮影画像は通常の画像保存処理などと平行して、端末管理機能からの取得情報として使用用途解析部１５に送信される。取得情報を受信した使用用途解析部１５では、撮影画像を解析し、現在の使用用途を特定する。ここでは、カメラを画像撮影用に利用することを想定して例示しているが、テレビ電話や、顔認証など、カメラが利用されるシーンであれば、いずれの場合でも使用用途の解析に利用できるものとする。なお、撮影画像の解析方法については本発明で規定はしないが、下記のような解析例が考えられる。
【００２３】
＜解析例１＞
電話帳写真とのマッチングによる使用用途解析
電話帳の登録メンバーには、それぞれの人物写真が登録されており、さらにビジネスやプライベートなどグループ設定がなされているものとする。撮影された画像から、類似画像検索技術を用いて、電話帳の人物写真とマッチする人物の検索を行う。マッチした人物が存在すれば、その人物のグループ設定を参照し、グループ設定に適応する使用用途を選択する。たとえば、撮影画像にビジネスグループに所属する人物が存在していれば、現在の使用用途はビジネスとして解析する。また、スーツスタイルと私服スタイルの自身の写真を、それぞれビジネスグループとプライベートグループとして個別に電話帳登録しておくことにより、顔認証などでカメラを利用した際に、服装から適切に使用用途を解析することができる。
【００２４】
＜解析例２＞
風景解析による使用用途解析
撮影画像の風景解析技術により、適切な使用用途を選択する。たとえば、撮影画像にスーツ姿が多く存在していればビジネス用途、私服姿が多く存在していればプライベート用途と解析することができる。
【００２５】
上記解析により得られた使用用途は、端末管理機能の名称とともにデータベース登録部７に送信される。この例では、端末管理機能として“カメラ”、使用用途として“プライベート”が送信されるものとする。データベース登録部７では時計９に問い合わせを行い、現在の日時を取得する。この例では、時間情報として“７時３０分”が取得されたものとする。データベース登録部７は、これら情報を用途情報として、シチュエーションデータベース５へ登録を行う。この例では、時間情報として“７時３０分”、端末管理機能として“カメラ”、使用用途として“プライベート”が送信されるものとする。
【００２６】
上記カメラを利用した例と同様にして、その他の端末管理機能についても、機能利用時に使用用途の解析がなされ、時間情報とともに用途情報としてシチュエーションデータベース５に登録される。
【００２７】
シチュエーションデータベース５の具体例を図３に示す。この例では、端末管理機能として“カメラ”、“ＧＰＳ”、“発信履歴”、“着信履歴”、“メール送信履歴”、“メール受信履歴”を利用することを想定しているが、これら以外にも携帯電話の基地局種別や、マイク、テレビ放送の受信波など、移動体端末が保有する様々な機能が端末管理機能として利用できるものとする。それぞれの端末管理機能は、機能利用時（履歴機能は履歴登録時）に使用用途解析部１５で使用用途が解析される。もちろん端末管理機能の使用用途解析は、あらかじめ設定された時間間隔で実施されることも可能である。解析結果は、時間情報と合わせてデータベース登録部７により用途情報としてシチュエーションデータベース５に登録される。この処理は継続的に実施され、シチュエーションデータベース５は端末管理機能が利用されるたびに更新されるものとする。
【００２８】
文字入力の開始時には、シチュエーション判断部３がシチュエーションデータベース５に問い合わせを行い、各端末管理機能の用途情報を入手する。シチュエーション判断部３は、入手した用途情報を基に、端末管理機能や用途情報登録時間の重み付けを考慮して、現在の移動体端末が置かれるシチュエーションを判断する。シチュエーション判断部３は、判断した結果に基づきモード切替部１３をアクセスし、かな漢字変換エンジン１のモードを適切に切り替える。
【００２９】
シチュエーション判断部３がシチュエーション判断に利用する、重み付けの具体例を図４の表に示す。この重み付けでは、ＧＰＳ用途情報についてはカメラ用途情報に対して３倍の重み付けを行うことを示している。また同様に、１時間以内に登録された用途情報は２時間以上３時間未満に登録された用途情報に対して３倍の重み付けを行うことを示している。この重み付けに従い、図３のシチュエーションデータベースを判断する。現在の時刻が１１時と仮定し、ひとつの用途情報単位を１ポイントとして計算した場合、図５のようなポイントが与えられることになる。これらポイントの合計から、シチュエーション判断部では現在の端末のシチュエーションはビジネス用途であると統合的に判断される。もちろん、図４に示す重み付けは一例であり、重み付けの内容や判断手法は適宜変更することができる。
【００３０】
シチュエーション判断部３により現在のシチュエーションが判断された後、シチュエーション判断部３はモード切替部１３を利用して、かな漢字変換エンジン１のモードを切り替える。この際には、シチュエーション判断部３では図６に示すような対応表を利用することが想定される。この例では、ビジネス用途のため、丁寧体モードが選択されることになる。もちろん、この図６に示す対応表は一例であり、“学校モード”や“関西弁モード”の追加/変更など、対応するモードの内容は適宜カスタマイズすることが可能である。
【００３１】
これにより、図７で示すように、文字入力として「ようきゅうしよう」が入力された場合、ビジネス用途で利用している場合には「要求仕様」、プライベート用途で利用している場合には「要求しよう」と適切な変換候補が上位に表示されることになる。
【００３２】
これら手法により、現在のシチュエーションに適したかな漢字変換エンジン１のモードが選択することが可能となり、文書入力目的に即した変換候補を出力することが可能となる。
【００３３】
以上説明したように、本発明によれば、移動体端末の使用用途から入力される文書の作成目的を類推することで、適切なかな漢字変換モードに切り替え、適切なかな漢字変換候補を候補リストの上位に出力することができる。これにより、移動体端末を利用するユーザの文字変換に対する負荷を軽減することが可能となる。
【産業上の利用可能性】
【００３４】
本発明は、かな漢字変換装置に利用可能である。
【図面の簡単な説明】
【００３５】
【図１】本発明のかな漢字変換装置の構成の一例を示す機能ブロック図である。
【図２】シチュエーションデータベース作成における処理の一例を説明するフローチャートである。
【図３】シチュエーションデータベースの具体例を示す図である。
【図４】シチュエーション判断部での端末管理機能および用途情報登録時間の重み付け例を示す表である。
【図５】シチュエーションデータベースの重み付けポイント計算例を示す図である。
【図６】シチュエーション判断部で利用されるモード対応の例を示す表である。
【図７】使用用途ごとにかな漢字変換結果が変更される例を示す図である。
【符号の説明】
【００３６】
１  かな漢字変換エンジン
３  シチュエーション判断部
５  シチュエーションデータベース
７  データベース登録部
９  時計
１１  端末情報管理部
１３  モード切替部
１５  使用用途解析部
【図１】
2010079707.tif 000003
【図２】
2010079707.tif 000004
【図３】
2010079707.tif 000005
【図４】
2010079707.tif 000006
【図５】
2010079707.tif 000007
【図６】
2010079707.tif 000008
【図７】
2010079707.tif 000009